(57)【要約】      （修正有）【課題】外部からの衝撃によって、損傷したり破壊したりすることを抑制できるプロテクタ付棚札表示器を提供する。【解決手段】プロテクタ５００は、商品の近傍に設けられ、当該商品を識別するための情報を表示する棚札表示器１００の前面を保護する。プロテクタ５００は、棚札表示器１００の表示面１０を覆う透明の表示面保護部分５１０と、左右方向端部５２０とを備えている。表示面保護部分５１０は、棚札表示器１００の表示面１０と隙間を成すようにプロテクタ５００の前面側に凸となるクラッシュゾーン５１５を有している。そして、左右方向端部５２０は、プロテクタ５００の背面側に湾曲している。【選択図】図３
0003159915.tif 000002
【実用新案登録請求の範囲】
【請求項１】
商品の近傍に設けられ、当該商品を識別するための情報を表示する棚札表示器の前面を保護する棚札表示器用プロテクタであって、
前記棚札表示器の表示面を覆う透明の表示面保護部分と、
左右方向端部と
を備え、
前記表示面保護部分は、前記表示面と隙間を成すように前記棚札表示器用プロテクタの前面側に凸となるクラッシュゾーンを有し、
前記左右方向端部は、前記棚札表示器用プロテクタの背面側に湾曲している、棚札表示器用プロテクタ。
【請求項２】
請求項１に記載の棚札表示器用プロテクタであって、
前記クラッシュゾーンの前面は曲面となっている、棚札表示器用プロテクタ。
【請求項３】
請求項２に記載の棚札表示器用プロテクタであって、
前記クラッシュゾーンの左右方向の断面において、前記クラッシュゾーンの前面が凸となるように湾曲している、棚札表示器用プロテクタ。
【請求項４】
請求項３に記載の棚札表示器用プロテクタであって、
前記クラッシュゾーンの上下方向の断面においても、前記クラッシュゾーンの前面が凸となるように湾曲している、棚札表示器用プロテクタ。
【請求項５】
請求項１乃至請求項４のいずれか一つに記載の棚札表示器用プロテクタであって、
前記棚札表示器の前面の周端部にはバーコードが示されており、
前記棚札表示器用プロテクタの周端部には、前記バーコードを露出させる切り欠き部が設けられている、棚札表示器用プロテクタ。
【請求項６】
請求項１乃至請求項４のいずれか一つに記載の棚札表示器用プロテクタであって、
前記棚札表示器には、その前面の周端部において外部から視認できるように光通信部が設けられており、
前記棚札表示器用プロテクタの周端部には、前記光通信部を露出させる切り欠き部が設けられている、棚札表示器用プロテクタ。
【請求項７】
請求項１乃至請求項６のいずれか一つに記載の棚札表示器用プロテクタであって、
前記棚札表示器用プロテクタは、前記棚札表示器に対して前記棚札表示器用プロテクタを取り付け固定するための取付部分を備える、棚札表示器用プロテクタ。
【請求項８】
請求項７に記載の棚札表示器用プロテクタであって、
前記取付部分は、前記棚札表示器の側面の凹部に係止する係止部を有する、棚札表示器用プロテクタ。
【請求項９】
請求項８に記載の棚札表示器用プロテクタが取り付けられる棚札表示器であって、
前記棚札表示器の側面には、前記棚札表示器用プロテクタの前記係止部が係止する凹部が設けられている、棚札表示器。
【請求項１０】
請求項１乃至請求項８のいずれか一つに記載の棚札表示器用プロテクタが取り付けられたプロテクタ付き棚札表示器。
【考案の詳細な説明】
【技術分野】
【０００１】
本考案は、棚札表示器の前面を保護する棚札表示器用プロテクタ、棚札表示器及びプロテクタ付き棚札表示器に関する。
【背景技術】
【０００２】
特許文献１に記載されているように、商品の近傍に設けられ、当該商品の商品名など、当該商品を識別するための情報を表示する棚札表示器が従来から提案されている。特許文献１では、棚札表示器に取り付けられる、防滴機能を有するカバーケースが開示されている。
【０００３】
なお特許文献２には、価格などが印刷されたプレートが着脱自在に嵌合する価格表示器具の表示面が汚れることを防止するための保護カバーが開示されている。また特許文献３には、液晶表示部を保護するための表示器カバーが開示されている。
【先行技術文献】
【特許文献】
【０００４】
【特許文献１】特開２０００−１５２８５７号公報
【特許文献２】特開２００２−２２１９０８号公報
【特許文献３】特開２００１−１２５０９９号公報
【考案の概要】
【考案が解決しようとする課題】
【０００５】
上述の特許文献１のカバーケースは、水滴が棚札表示器に侵入することを防止するために設計されていることから、外部からの衝撃に対して弱いという問題がある。
【０００６】
そこで、本考案は上記の点に鑑みて成されたものであり、外部からの衝撃によって棚札表示器が損傷したり破壊したりすることを抑制することが可能な技術を提供することを目的とする。
【課題を解決するための手段】
【０００７】
上記課題を解決するため、請求項１の考案は、商品の近傍に設けられ、当該商品を識別するための情報を表示する棚札表示器の前面を保護する棚札表示器用プロテクタであって、前記棚札表示器の表示面を覆う透明の表示面保護部分と、左右方向端部とを備え、前記表示面保護部分は、前記表示面と隙間を成すように前記棚札表示器用プロテクタの前面側に凸となるクラッシュゾーンを有し、前記左右方向端部は、前記棚札表示器用プロテクタの背面側に湾曲している。
【０００８】
また、請求項２の考案は、請求項１に記載の棚札表示器用プロテクタであって、前記クラッシュゾーンの前面は曲面となっている。
【０００９】
また、請求項３の考案は、請求項２に記載の棚札表示器用プロテクタであって、前記クラッシュゾーンの左右方向の断面において、前記クラッシュゾーンの前面が凸となるように湾曲している。
【００１０】
また、請求項４の考案は、請求項３に記載の棚札表示器用プロテクタであって、前記クラッシュゾーンの上下方向の断面においても、前記クラッシュゾーンの前面が凸となるように湾曲している。
【００１１】
また、請求項５の考案は、請求項１乃至請求項４のいずれか一つに記載の棚札表示器用プロテクタであって、前記棚札表示器の前面の周端部にはバーコードが示されており、前記棚札表示器用プロテクタの周端部には、前記バーコードを露出させる切り欠き部が設けられている。
【００１２】
また、請求項６の考案は、請求項１乃至請求項４のいずれか一つに記載の棚札表示器用プロテクタであって、前記棚札表示器には、その前面の周端部において外部から視認できるように光通信部が設けられており、前記棚札表示器用プロテクタの周端部には、前記光通信部を露出させる切り欠き部が設けられている。
【００１３】
また、請求項７の考案は、請求項１乃至請求項６のいずれか一つに記載の棚札表示器用プロテクタであって、前記棚札表示器用プロテクタは、前記棚札表示器に対して前記棚札表示器用プロテクタを取り付け固定するための取付部分を備える。
【００１４】
また、請求項８の考案は、請求項７に記載の棚札表示器用プロテクタであって、前記取付部分は、前記棚札表示器の側面の凹部に係止する係止部を有する。
【００１５】
また、請求項９の考案は、請求項８に記載の棚札表示器用プロテクタが取り付けられる棚札表示器であって、前記棚札表示器の側面には、前記棚札表示器用プロテクタの前記係止部が係止する凹部が設けられている。
【００１６】
また、請求項１０の考案は、請求項１乃至請求項８のいずれか一つに記載の棚札表示器用プロテクタが取り付けられたプロテクタ付き棚札表示器である。
【００１７】
ここで、本考案において、棚札表示器とは、店舗で販売される多数の商品を相互に識別するためのものであって、商品の近傍に設けられ、当該商品を識別するための情報を可視的に表示し、かつ表示情報が可変の表示器である。
【考案の効果】
【００１８】
請求項１乃至請求項１０の考案によれば、棚札表示器の表示面を覆う透明の表示面保護部分にクラッシュゾーンが設けられているため、棚札表示器用プロテクタの前面にショッピングカート等が衝突したとしても、棚札表示器の表示面が損傷したり破壊したりすることを抑制できる。
【００１９】
さらに、棚札表示器用プロテクタの左右方向端部が、棚札表示器用プロテクタの背面側に湾曲しているため、棚札表示器用プロテクタに対してショッピングカート等が横方向から衝突したとしても、その際の衝撃を逃がすことができる。よって、棚札表示器が破損したり破壊したりすることを抑制できる。
【００２０】
特に、請求項２の考案によれば、クラッシュゾーンの前面が曲面となっているため、クラッシュゾーンでの外光の反射によって棚札表示器の表示が見えにくくなることを抑制できる。
【００２１】
特に、請求項３の考案によれば、クラッシュゾーンの左右方向の断面において、当該クラッシュゾーンの前面が凸となるように湾曲しているため、クラッシュゾーンの前面に対して、ショッピングカート等が横から衝突したとしても、その際の衝撃を逃がすことができる。よって、棚札表示器が損傷したり破壊したりすることをさらに抑制できる。
【００２２】
特に、請求項４の考案によれば、クラッシュゾーンの左右方向及び上下方向の断面の両方において、当該クラッシュゾーンの前面が凸となるように湾曲しているため、クラッシュゾーンでの外光の反射によって棚札表示器の表示が見えにくくなることをさらに抑制することができる。
【００２３】
特に、請求項５の考案によれば、棚札表示器用プロテクタの周端部には、棚札表示器の前面のバーコードを露出させる切り欠き部が設けられているため、当該バーコードが、棚札表示器用プロテクタによって読み取りにくくなることを防止できる。
【００２４】
特に、請求項６の考案によれば、棚札表示器用プロテクタの周端部には、棚札表示器の光通信部を露出させる切り欠き部が設けられているため、当該光通信部の通信性能が棚札表示器用プロテクタによって低下することを防止できる。
【００２５】
特に、請求項８及び請求項９の考案によれば、棚札表示器用プロテクタの係止部を棚札表示器の側面の凹部に係止させることによって、棚札表示器用プロテクタを棚札表示器に取り付け固定できるため、簡単な構成かつ簡単な方法で、棚札表示器用プロテクタを棚札表示器に固定することができる。
【図面の簡単な説明】
【００２６】
【図１】本考案の実施の形態に係る棚札表示器が店舗内で使用されている様子を示す図である。
【図２】本考案の実施の形態に係る棚札表示器を示す正面図である。
【図３】本考案の実施の形態に係るプロテクタ付き棚札表示器を示す正面図である。
【図４】本考案の実施の形態に係るプロテクタ付き棚札表示器を示す側面図である。
【図５】本考案の実施の形態に係るプロテクタ付き棚札表示器の上下方向の断面構造を示す図である。
【図６】本考案の実施の形態に係るプロテクタを示す前方斜視図である。
【図７】本考案の実施の形態に係るプロテクタを示す後方斜視図である。
【図８】本考案の実施の形態に係るプロテクタを示す正面図である。
【図９】本考案の実施の形態に係るプロテクタを示す背面図である。
【図１０】本考案の実施の形態に係るプロテクタを示す右側側面図である。
【図１１】本考案の実施の形態に係るプロテクタを示す上側側面図である。
【図１２】本考案の実施の形態に係るプロテクタを示す下側側面図である。
【図１３】本考案の実施の形態に係るプロテクタの左右方向の断面構造を示す図である。
【図１４】本考案の実施の形態に係るプロテクタの上下方向の断面構造を示す図である。
【図１５】本考案の実施の形態に係る棚札表示器をレール状取付部材に取り付けた様子を示す図である。
【図１６】本考案の実施の形態に係る棚札表示器をレール状取付部材に取り付けた様子を示す図である。
【図１７】レール状取付部材に取り付けられた棚札表示器に対してプロテクタを取り付けた様子を示す図である。
【図１８】レール状取付部材に取り付けられた棚札表示器に対してプロテクタを取り付けた様子を示す図である。
【図１９】本考案の実施の形態に係る棚札表示器及びプロテクタの変形例を示す側面図である。
【図２０】本考案の実施の形態に係るプロテクタの変形例を示す後方斜視図である。
【図２１】本考案の実施の形態に係るプロテクタの変形例を示す背面図である。
【図２２】本考案の実施の形態に係るプロテクタの変形例を示す下側側面図である。
【考案を実施するための形態】
【００２７】
図１は、本考案の実施の形態に係る棚札表示器１００が、スーパーマーケットやコンビニエンスストアなどの店舗で使用されている様子の一例を示す図である。図１に示されるように、棚札表示器１００は、商品３００の近傍に位置するように商品棚２００に取り付けられる。そして、棚札表示器１００は、その近傍に位置する商品３００を識別するための情報を含む、当該商品３００に関する商品情報を表示する。棚札表示器１００は、例えば、商品３００を識別するための商品名、商品３００の売価、商品３００に関する広告などを表示する。棚札表示器１００は、商品３００ごとに商品情報を管理するサーバ装置と通信することが可能となっている。棚札表示器１００には、当該サーバ装置から、当該棚札表示器１００に対応する商品３００に係る商品情報が通信装置を介して送信される。そして、棚札表示器１００は、サーバ装置から受信した商品情報を表示する。したがって、サーバ装置から棚札表示器１００に送信される商品情報が変化すると、当該棚札表示器１００の表示情報は変化することになる。
【００２８】
ここで、本考案において、棚札表示器とは、店舗で販売される多数の商品を相互に識別するためのものであって、商品の近傍に設けられ、当該商品を識別するための情報を可視的に表示し、かつ表示情報が可変の表示器である。棚札表示器は、典型的には、図１に示されるように商品棚に取り付けられるものの、必ずしも商品棚に取り付けられる必要はない。例えば、棚札表示器は、店舗内において、商品が載置されたワゴンや、商品が陳列された、冷蔵用あるいは冷凍用ショーケースに取り付けられても良い。
【００２９】
図２は棚札表示器１００を示す正面図である。図２に示されるように、棚札表示器１００は、可視的に情報を表示し、かつ表示情報が可変の表示パネル１と、外部のサーバ装置と光通信を行う光通信部２と、光通信部２が搭載された制御基板３と、表示パネル１、光通信部２及び制御基板３を収納する外装ケース４とを備えている。
【００３０】
表示パネル１は、ドットマトリクス方式の不揮発性表示部であって、例えば電子ペーパで構成されている。電子ペーパ等の不揮発性表示部では、駆動電力を与えることなく表示内容を保持することができる。表示パネル１は、マトリクス表示を行うため、その表示面１０に文字、記号及び図形を表示することが可能である。以後、表示パネル１の表示面１０を「棚札表示器１００の表示面１０」と呼ぶことがある。
【００３１】
光通信部２は、サーバ装置と例えば赤外線通信を行う。これにより、棚札表示器１００は、サーバ装置から、対応する商品に係る商品情報を受け取ることができる。光通信部２は、受信部たる受光部２０と、送信部たる発光部２１とを備えている。受光部２０は、例えばフォトダイオード及びアンプで構成されており、発光部２１は例えば発光ダイオード（ＬＥＤ）で構成されている。
【００３２】
外装ケース４は、略直方体を成しており、例えば樹脂で形成されている。外装ケース４の左右方向の側面及び上下方向の側面には、棚札表示器１００の周縁に沿って溝４４（後述の図４参照）が形成されている。この溝４４は、棚札表示器１００を商品棚等に固定するために利用される。例えば、棚札表示器１００を商品棚に固定取り付けするための取付部材が溝４４を利用して棚札表示器１００に取り付けられる。また、後述するように、棚札表示器１００には、その表示面１０を保護するプロテクタ５００が取り付けられる。このプロテクタ５００を棚札表示器１００に取り付ける際にも溝４４は利用される。
【００３３】
外装ケース４の前面には、表示用透明部４０及び通信用透明部４１が設けられている。表示用透明部４０は、外装ケース４の前面の大部分を占めており、当該前面において、周端部を除く部分に形成されている。表示パネル１の表示面１０は、この表示用透明部４０を通じて、外装ケース４の前面側から視認可能となっている。
【００３４】
通信用透明部４１は、外装ケース４の前面の下端部に形成されている。光通信部２の受光部２０及び発光部２１は、通信用透明部４１を通じて、外装ケース４の前面側から視認可能となっている。これにより、光通信部２は、外装ケース４の前面の周端部から視認可能となっている。また、外装ケース４の下側側面にも、通信用透明部４１と繋がった透明部が設けられており、受光部２０及び発光部２１は、この透明部を通じて、外装ケース４の下側の側面側からも視認可能となっている。
【００３５】
また、棚札表示器１００では、外装ケース４の前面の周端部に、当該棚札表示器１００を識別するための装置コードがバーコード４２及び文字列４３で示されている。このバーコード４２及び文字列４３は、外装ケース４の前面の下端部において、通信用透明部４１の隣に示されている。
【００３６】
なお、制御基板３には、光通信部２以外にも、表示パネル１及び光通信部２を制御する制御部（図示せず）が搭載されている。この制御部は、ＣＰＵなどで構成されている。
【００３７】
以上のような構成を有する棚札表示器１００では、その表示面１０に、当該棚札表示器１００に対応する商品に関する商品情報が表示される。例えば、表示面１０には、商品名１０ａ、売価１０ｂ、内容量１０ｃ、商品コード１０ｄ、商品に関する広告１０ｅが表示される。商品名１０ａ及び商品コード１０ｄは、商品を識別するための情報であって、消費者や店舗の店員は、棚札表示器１００に表示される商品名１０ａや商品コード１０ｄによって、当該棚札表示器１００に対応付けられている商品を特定することができる。
【００３８】
本実施の形態に係る棚札表示器１００には、その表示面１０を保護する透明のプロテクタ５００が取り付けられる。以下にこのプロテクタ５００の構造について詳細に説明する。
【００３９】
図３はプロテクタ５００が取り付けられたプロテクタ付き棚札表示器１００を示す正面図である。図４は、図３の矢視Ａからプロテクタ付き棚札表示器１００を見た際の当該プロテクタ付き棚札表示器１００を示す側面図である。図５は図３の矢視Ｂ−Ｂにおけるプロテクタ付き棚札表示器１００の断面構造を示す図である。本考案では、棚札表示器１００の内部構造は特に重要でないため、図５では棚札表示器１００の断面を斜線で簡単に示している。図６〜１４はプロテクタ５００の構造を示す図である。図６〜１２は、プロテクタ５００の前方斜視図、後方斜視図、正面図、背面図、右側側面図、上側側面図及び下側側面図をそれぞれ示している。図１３は、図８の矢視Ｃ−Ｃにおけるプロテクタ５００の断面構造を示している。図１４は図８の矢視Ｄ−Ｄにおけるプロテクタ５００の断面構造を示している。
【００４０】
図３，８に示されるように、プロテクタ５００は、正面視において略長方形を成しており、透明樹脂で形成されている。プロテクタ５００は、棚札表示器１００の表示面１０を覆う表示面保護部分５１０を有している。表示面保護部分５１０は、棚札表示器１００の前面の大部分を覆っている。具体的には、表示面保護部分５１０は、棚札表示器１００の前面のうち、下端領域を除く領域と、当該下端領域のうち左右方向の両端領域とを覆っている。表示面保護部分５１０では、その周端部に切り欠き部５１１が設けられている。本例では、切り欠き部５１１は、表示面保護部分５１０の下端部に設けられている。棚札表示器１００では、この切り欠き部５１１によって、その前面の下端領域のうち左右方向の両端領域を除く領域がプロテクタ５００から露出している。これにより、棚札表示器１００の前面のバーコード４２及び文字列４３と、棚札表示器１００の前面から視認可能な光通信部２とがプロテクタ５００から露出している。
【００４１】
このように、表示面保護部分５１０の周端部に、バーコード４２を露出させる切り欠き部５１１を設けることによって、バーコード４２がプロテクタ５００によって読み取りにくくなることを防止できる。また、表示面保護部分５１０の周端部に、光通信部２を露出させる切り欠き部５１１を設けることによって、光通信部２の通信性能がプロテクタ５００によって低下することを防止できる。
【００４２】
表示面保護部分５１０には、図５に示されるように、棚札表示器１００の表示面１０と隙間６００を成すようにプロテクタ５００の前面側に凸となるクラッシュゾーン５１５が設けられている。プロテクタ５００の前面に衝撃が加わった際には、このクラッシュゾーン５１５がつぶれることによって、棚札表示器１００の表示面１０への衝撃力を低減することができる。表示面保護部分５１０では、切り欠き部５１１よりも上方の部分がクラッシュゾーン５１５となっている。
【００４３】
クラッシュゾーン５１５の前面は曲面となっている。本例では、クラッシュゾーン５１５の前面は三次曲面となっている。したがって、図１３に示されるように、クラッシュゾーン５１５の左右方向の断面において、クラッシュゾーン５１５の前面が凸となるように湾曲している。さらに、図５，１４に示されるように、クラッシュゾーン５１５の上下方向の断面において、クラッシュゾーン５１５の前面が凸となるように湾曲している。
【００４４】
このように、棚札表示器１００の表示面１０を覆うクラッシュゾーン５１５の前面を曲面にすることによって、プロテクタ５００の前面に対して、蛍光灯が発する光などの外光が当たり、その反射によって棚札表示器１００の表示が見えにくくなることを抑制できる。
【００４５】
プロテクタ５００は、表示面保護部分５１０以外にも、当該表示面保護部分５１０の左右方向の両端にそれぞれ繋がった、２つの左右方向端部５２０を有している。各左右方向端部５２０は、プロテクタ５００の背面側に向かうように、上下方向に沿った軸の周りに湾曲しており、図４に示されるように、棚札表示器１００の左右方向側面の表示面１０側半分を覆っている。これにより、棚札表示器１００の左右方向側面は、プロテクタ５００の左右方向端部５２０によって保護される。
【００４６】
またプロテクタ５００では、表示面保護部分５１０の背面における左右方向の両端部のそれぞれに、位置ずれ規制部分５１２が設けられている。各位置ずれ規制部分５１２は、細長い板状部分であって、プロテクタ５００の上下方向に沿って延在するように表示面保護部分５１０の背面に立設されている。２つの位置ずれ規制部分５１２は、棚札表示器１００に対するプロテクタ５００の左右方向の位置ずれを規制する。一方の位置ずれ規制部分５１２の内側面と、他方の位置ずれ規制部分５１２の内側面との間の距離は、棚札表示器１００の左右方向の長さとほぼ同じである。図３に示されるように、プロテクタ５００は、２つの位置ずれ規制部分５１２が、棚札表示器１００の左右方向の両側面とそれぞれ隣接するように棚札表示器１００に取り付けられる。これにより、棚札表示器１００に対するプロテクタ５００の左右方向の位置ずれが規制される。
【００４７】
一方の位置ずれ規制部分５１２の内側面と、それに対向する、他方の位置ずれ規制部分５１２の内側面とには、棚札表示器１００の左右方向の両側面の溝４４にそれぞれ係合する突起状の２つの溝係合部５１３がそれぞれ設けられている。この２つの溝係合部５１３が、棚札表示器１００の左右方向の両側面の溝４４にそれぞれ係合することによって、プロテクタ５００は棚札表示器１００に取り付けられる。
【００４８】
なお、プロテクタ５００は、棚札表示器１００の表示面１０の視認性をできるだけ劣化させないためには無色透明が好ましいが、デザイン性等の観点から有色透明としても良い。
【００４９】
以上のような構造を有するプロテクタ５００は、商品棚に取り付けられた棚札表示器１００に対して取り付けることが可能である。棚札表示器１００は、例えば、商品棚の前面に設けられたレール状取付部材７００に取り付けられる。
【００５０】
図１５は、商品棚の前面に設けられたレール状取付部材７００に取り付けられた棚札表示器１００を示す正面図であって、図１６は当該棚札表示器１００を示す側面図である。また図１７，１８は、レール状取付部材７００に取り付けられた棚札表示器１００に対してプロテクタ５００が取り付けられた様子を示す図である。
【００５１】
レール状取付部材７００は、側面視及び断面視においてコ字状を成しており、商品棚の左右方向に沿って延在している。レール状取付部材７００は、長尺状の上壁部７１０と、当該上壁部７１０と対向する長尺状の下壁部７２０と、上壁部７１０と下壁部７２０とを繋ぐ背面壁部７３０とを備えている。
【００５２】
上壁部７１０の内面には、上壁部７１０の長手方向に延在し、互いに対向する一対の突起部７１１が設けられている。この一対の突起部７１１によって、上壁部７１０の内面には、棚札表示器１００をレール状取付部材７００に取り付けるための上側取付溝７１２が形成されている。同様に、下壁部７２０の内面には、下壁部７２０の長手方向に延在し、互いに対向する一対の突起部７２１が設けられている。この一対の突起部７２１によって、下壁部７２０の内面には、棚札表示器１００をレール状取付部材７００に取り付けるための下側取付溝７２２が形成されている。
【００５３】
棚札表示器１００は、その外装ケース４のうち溝４４よりも背面側部分の上端部及び下端部が上側取付溝７１２及び下側取付溝７２２にそれぞれ嵌合するように、レール状取付部材７００に対して、その前側から嵌め込まれる。これにより、棚札表示器１００はレール状取付部材７００に取り付けられる。
【００５４】
プロテクタ５００が、レール状取付部材７００に取り付けられた棚札表示器１００に対して取り付けられる際には、まず、プロテクタ５００は、その背面が棚札表示器１００の表示面１０側を向くように棚札表示器１００に近づけられていく。そうすると、２つの溝係合部５１３が棚札表示器１００の左右方向の両端部に当たるようになる。その後、プロテクタ５００が棚札表示器１００に対して押し付けられると、２つの溝係合部５１３が若干外側に開いて棚札表示器１００の左右方向の側面と摺動しながら、棚札表示器１００の背面側に移動していく。そして、２つの溝係合部５１３が棚札表示器１００の左右方向の両側面の溝４４までくると、２つの溝係合部５１３の姿勢が元に戻って、２つの溝係合部５１３が棚札表示器１００の左右方向の両側面の溝４４に係合するようになる。これにより、プロテクタ５００が、レール状取付部材７００に嵌め込まれた棚札表示器１００に対して取り付けられる。棚札表示器１００に取り付けられたプロテクタ５００では、図１８に示されるように、その上端がレール状取付部材７００の上壁部７１０と対向し、その下端がレール状取付部材７００の下壁部７２０と対向する。これにより、棚札表示器１００に対するプロテクタ５００の上下方向の位置ずれはレール状取付部材７００によって規制される。
【００５５】
以上のように、本実施の形態に係る棚札表示器１００用のプロテクタ５００では、棚札表示器１００の表示面１０を覆う透明の表示面保護部分５１０にクラッシュゾーン５１５が設けられている。そのため、プロテクタ５００の前面にショッピングカート等が衝突したとしても、棚札表示器１００の表示面１０が損傷したり破壊したりすることを抑制できる。
【００５６】
さらに、プロテクタ５００の左右方向端部５２０が、プロテクタ５００の背面側に湾曲しているため、プロテクタ５００に対してショッピングカート等が横方向から衝突したとしても、その際の衝撃を逃がすことができる。よって、棚札表示器１００が損傷したり破壊したりすることを抑制できる。
【００５７】
また本実施の形態では、クラッシュゾーン５１５の前面が曲面となっているため、クラッシュゾーン５１５での外光の反射によって棚札表示器１００の表示が見えにくくなることを抑制できる。
【００５８】
また、クラッシュゾーン５１５の左右方向の断面において、当該クラッシュゾーン５１５の前面が凸となるように湾曲しているため（図１３参照）、クラッシュゾーン５１５の前面に対して、ショッピングカート等が横から衝突したとしても、その際の衝撃を逃がすことができる。よって、棚札表示器１００が損傷したり破壊したりすることをさらに抑制できる。
【００５９】
また本実施の形態では、クラッシュゾーン５１５の左右方向の断面だけではなく、上下方向の断面においても、当該クラッシュゾーン５１５の前面が凸となるように湾曲しているため（図１４参照）、クラッシュゾーン５１５での外光の反射によって棚札表示器１００の表示が見えにくくなることをさらに抑制することができる。
【００６０】
＜変形例＞
上記の例では、棚札表示器１００に対するプロテクタ５００の上下方向の位置ずれは、レール状取付部材７００によって規制されていた。つまり、棚札表示器１００に対してプロテクタ５００を取り付け固定するためにはレール状取付部材７００が必要であった。
【００６１】
そこで、本変形例では、レール状取付部材７００を使用せずに、棚札表示器１００に対してプロテクタ５００を取り付け固定することができる棚札表示器１００及びプロテクタ５００について説明する。
【００６２】
図１９は本変形例に係るプロテクタ付き棚札表示器１００を示す側面図である。図２０〜２２は、本変形例に係るプロテクタ５００の後方斜視図、背面図及び下側側面図をそれぞれ示している。図１９に示されるように、棚札表示器１００の左右方向の両側面のそれぞれでは、溝４４よりも背面側の領域に、溝４４に連通する凹部４５が設けられている。そして、プロテクタ５００では、２つの溝係合部５１３の背面側端面には、棚札表示器１００の左右方向の両側面の凹部４５とそれぞれ係止する２つの係止部５１４がそれぞれ設けられている。この２つ係止部５１４が、棚札表示器１００の左右方向の両側面に設けられた２つの凹部４５とそれぞれ係止することによって、プロテクタ５００は棚札表示器１００に対して取り付け固定される。したがって、２つの係止部５１４は、プロテクタ５００を棚札表示器１００に対して取り付け固定するための取付部分として機能する。係止部５１４が凹部４５と係止している状態においては、係止部５１４の下方端面と、凹部５４における下方の内壁とが当接する（図１９参照）。
【００６３】
このように、本変形例では、プロテクタ５００の係止部５１４を、棚札表示器１００の側面の凹部４５に係止させることによって、プロテクタ５００を棚札表示器１００に取り付け固定できるため、簡単な構成かつ簡単な方法で、プロテクタ５００を棚札表示器１００に固定することができる。
【００６４】
なお、プロテクタ５００のクラッシュゾーン５１５の形状を工夫して、クラッシュゾーン５１５を、棚札表示器１００の表示を拡大する拡大レンズとして機能させても良い。これにより、棚札表示器１００の表示が見やすくなる。
【符号の説明】
【００６５】
２  光通信部
１０  表示面
４２  バーコード
４５  凹部
１００  棚札表示器
５００  プロテクタ
５１０  表示面保護部分
５１１  切り欠き部
５１４  係止部
５１５  クラッシュゾーン
５２０  左右方向端部
0003159915.tif 000003
【手続補正書】
【提出日】平成22年4月14日(2010.4.14)
【手続補正１】
【補正対象書類名】図面
【補正対象項目名】全図
【補正方法】変更
【補正の内容】
【図１】
0003159915.tif 000004
【図２】
0003159915.tif 000005
【図３】
0003159915.tif 000006
【図４】
0003159915.tif 000007
【図５】
0003159915.tif 000008
【図６】
0003159915.tif 000009
【図７】
0003159915.tif 000010
【図８】
0003159915.tif 000011
【図９】
0003159915.tif 000012
【図１０】
0003159915.tif 000013
【図１１】
0003159915.tif 000014
【図１２】
0003159915.tif 000015
【図１３】
0003159915.tif 000016
【図１４】
0003159915.tif 000017
【図１５】
0003159915.tif 000018
【図１６】
0003159915.tif 000019
【図１７】
0003159915.tif 000020
【図１８】
0003159915.tif 000021
【図１９】
0003159915.tif 000022
【図２０】
0003159915.tif 000023
【図２１】
0003159915.tif 000024
【図２２】
0003159915.tif 000025